(57)【特許請求の範囲】
【請求項１】
液浸透印，公用印判，スタンプ等の印判を収めている印判体と、ボールペン，万年筆等の筆記具とから成り、該筆記具の一部に、該印判体を覆い、相対向させたスライド板を設け、該印判体が該スライド板を通して直線的に往復移動できるように相対向させたスライド溝を該スライド板と該印判体の何れか一方に形成し、該スライド溝内を往復移動できるとともに、安定した転回ができる突起片を該スライド板と該印判体の何れか他方に設けることにより、該印判体の移動によって、該筆記具から離れずに印判面の使用が可能であり、上記印判体の上記印判の反対面に上記筆記具と該印判体とを係合するために係合面を形成し、上記スライド板の内端部に上記印判体を覆っているカバー筒部の外径と、内径が略同径の印判体装入筒を形成し、上記印判体を転回させた後に該印判体装入筒内に少し押し込むことにより上記印判体の印面及びその反対面の端部が装入して係合し得るように成していることを特徴とする印判体付き筆記具。
【請求項２】
相対向させた上記スライド板の内側に上記スライド溝を形成するとともに、該スライド溝により案内される上記突起片を、該印判体を覆うカバー筒部に設けた請求項１に記載の印判体付き筆記具。
【請求項３】
上記カバー筒部に、上記スライド板と相対向すべく上記スライド溝を形成するとともに、該スライド溝により案内される上記突起片を、該スライド板の内側に設けた請求項１に記載の印判体付き筆記具。
【請求項４】
上記スライド板がボールペン，万年筆等の筆記具の後端部に設けられている請求項１乃至３のいずれかに記載の印判体付き筆記具。
【請求項５】
上記スライド板がボールペン，万年筆等の筆記具のキャップのキャップ口の反対側に設けられている請求項１乃至３のいずれかに記載の印判体付き筆記具。
【請求項６】
上記印判体が公用印判であり、該印判体の印判面に印肉が付着するように、該印肉が上記印判体装入筒内に設けられている請求項１乃至５のいずれかに記載の印判体付き筆記具。
【請求項７】
上記印判体がスタンプであり、該印判体の印判面にインクパッドが付着するように、該インクパッドが上記印判体装入筒内に設けられている請求項１乃至５のいずれかに記載の印判体付き筆記具。
【請求項８】
上記印判体装入筒内に変形容易なストッパーを設けている請求項６又は７記載の印判体付き筆記具。
【発明の詳細な説明】
【０００１】
【産業上の利用分野】
本発明は、液浸透印，公用印判，スタンプ等の印判を収めた印判体が付属している筆記具に関する。
【０００２】
【従来の技術】
従来の印判体付き筆記具は、ボールペン等の筆記具の後端の筒内又はキャップのキャップ口の反対側に筒を形成したものに、液浸透印，公用印判，スタンプ等の印判体を収めて、使用しないときはこれらにキャップを被せていた。また、公用印判，スタンプに関しては、印肉等をキャップの中に設けているものもある。
【０００３】
【発明が解決しようとする課題】
従来の印判体付き筆記具は、筆記具の筒に液浸透印，公用印判，スタンプ等の印判体を収めて、使用しないときにはこれらにキャップを被せていたが、使用する度にキャップを外さなければならず、頻繁に使用する場合、キャップの着脱に手間がかかる。また、キャップを紛失する恐れがあり、液浸透印を収めている筆記具は、キャップを紛失すると、印判が渇いて使用できなくなる恐れがある。また、公用印判又はスタンプ等を収めている筆記具は、印肉又はインクパッドをキャップの部分に付属させていたので、使用していないときは印肉又はインクパッドが印判面と接触しており、実際使用する際に印判面に印肉又はインクパッドが多量に付着して、印判体を押印した際に、印章が滲む等の問題点があったので、印肉又はインクパッドを付属していないものが多く、その場に印肉又はインクパッドが無い場合には使用することができない等の問題点があった。
【０００４】
本発明は、上記の問題点を解決するために、液浸透印，公用印判，スタンプ等の印判を使用する際に、キャップを脱却することなく、容易に安定した押印ができる印判体付き筆記具を提供することを目的とする。
【０００５】
【課題を解決するための手段】
上記の目的を達成するために、本発明印判体付き筆記具は、液浸透印，公用印判，スタンプ等の印判を収めている印判体と、ボールペン，万年筆等の筆記具とから成り、該筆記具の一部に相対向させてスライド板を設け、該印判体が該スライド板を通して直線的に往復移動できるように相対向させたスライド溝を該スライド板と該印判体の何れか一方に形成し、該スライド溝内を該往復移動できるとともに、安定した転回ができるように相対向させた突起片を該スライド板と該印判体の何れか他方に設けることにより、該印判体の移動によって該筆記具から離れることなく印判面の使用が可能であり、上記印判体の上記印判の反対面に前記筆記具と該印判体とが係合するための係合面を形成し、上記筆記具の上記スライド板の内端部に上記印判体を覆っているカバー筒体の外径と、内径が略同径な印判体装入筒を形成し、上記印判体を転回させた後に該印判体装入筒内に少し押し込むことにより上記印判体の印判面及びその反対面が装入して係合し得るように成していることを特徴とする。
【０００６】
上記の通りに構成された印判体付き筆記具の一部に相対向させて設けたスライド板に応じて形成したスライド溝の案内によって、突起片が直線移動をする、即ち、印判体が直線移動し、突起片を軸として、印判体が転回する。印判体を１８０°転回させたら、印判面が表れて、押印することができる。
【０００７】
【発明の実施の形態】
液浸透印，公用印判，スタンプ等の印判を収めた印判体にカバー筒部と頂部とを設ける。また、筆記具の後端部又はキャップのキャップ口の反対側に相対向させたスライド板を設け、印判体がスライド板を通して直線的に往復移動できるとともに、安定した転回ができる突起片を設けるとよい。以上の構成より、スライド板の案内によって、印判体が筆記具から離れることなく印判面を外に出すことができ、押印することができる。また、印判体を使用する際に、容易に装着できるようにするとともに、印判体と筆記具が係合し合うように、頂部は弧面状に成しているとよい。さらに、スライド板の内端部に、印判体を覆っているカバー筒部の外径と内径が略同径な印判体装入筒を形成し、上記印判体を転回させた後に印判体装入筒内に少し押し込みことにより、印判体の印面及びその反対面の端部が装入して係合し得る。
【０００８】
【実施例】
図面を参照して実施例を説明する。
図１は、本発明印判体付き筆記具の印判体１と筆記具１１とを分解した図を示したものである。
本実施例では印判として液浸透式印判を使用したものであり、印判体１は液浸透式印判２にカバー筒部３を被せたものである。また、後述する相対向させて設けたスライド板１３，１３の内側に直線状にスライド溝１４，１４を形成し、さらに、スライド溝１４，１４に沿って印判体１を往復移動させたり、転回させたりするために突起片５，５をスライド溝１４，１４の溝面に対して相対向させて印判体１に設けている。実施例では、頂部４は弧面状に形成している。この形状についての詳細は後述するが、この形状には利点が多いことより採用しているのであり、頂部４は弧面状であるとは限定しない。
【０００９】
１１は筆記具であり、筆記具１１の印判体１の装着部１２に、相対向させて設けたスライド板１３，１３を設けて、スライド板１３，１３の内側にスライド溝１４，１４を形成している。このとき印判体１が安定性よく移動できるように、スライド溝１４，１４の幅及び深さが、スライド溝１４，１４に嵌入して、移動する突起片５，５の大きさと略同径であるとよく、また、スライド溝１４，１４の端部で印判体１が転回できるように、端部は曲線状に形成されている。
【００１０】
図２、図４及び図５は液浸透式印判２を収納している状態を示したものであって、また、図３は液浸透式印判２を使用している状態を示したものである。さらに、図５は図２の断面を示したものである。
先ず、液浸透式印判２を使用していないときは、液浸透式印判２は筆記具１１の印判体装入筒１５内に納まっている。印判体装入筒１５の内径と印判体１の外径は略同径になっている。
液浸透式印判２を使用するにおいて、先ず、印判体１を引き出す。このとき、上記した通りに、突起片５，５はスライド溝１４，１４に嵌入しており、突起片５，５がスライド溝１４，１４に案内されて、印判体１を引き出す事ができる。さらに、後述するが、印判体１を引き上げた後に、印判体１を転回し易くするために、突起片５，５がスライド溝１４，１４の端部に到達するまで引き上げるとよい。
【００１１】
印判体１を引き上げたら、印判体１を１８０°転回する。このとき、前述したように、突起片５，５はスライド溝１４，１４の溝面に対して、円形状になっているので、容易に転回することができる。印判体１を１８０°転回したら、印版体１の頂部４が印判体装入筒１５上にあるかを確認して、印判体１を押し込む。このとき、印判体１を引き出す場合と同様に、突起片５，５がスライド溝１４，１４の案内によって、印判体１は移動する。さらに、印判体１を安定させるために、突起片５，５をスライド溝１４，１４の筒側の端部まで移動させる。したがって、突起片５，５、即ち印判体１が係止することにより、液浸透式印判２を使用することができ、従来の液浸透印と同様に、液浸透式印判２を押すことによって、インクタンク６から液浸透式印判２にインクが浸透し、印章が表れる。
【００１２】
また、印判体１がより安定性よく押印することができるようにするために、印判体装入筒１５内に被係合面（図示しない）を設け、且つ、被係合面と印判体１の頂部４とが係合しあうように、被係合面も頂部４の係合面と略同形に施せばよい。
また、液浸透式印判２を使用するために、印判体１を転回させる際に、頂部４が筆記具本体１７に当たることにより、頂部４及び筆記具本体１７を傷つける恐れがあるとともに、頂部４を印判体装入筒１５に装入し易くし、且つ、安定した係合を求めているので、頂部４の係合面を弧面状に形成することが望ましいことより、本実施例では頂部４の係合面を弧面状に形成している。
さらに、本実施例では、突起片５，５を印判体１に、スライド溝１４，１４をスライド板１３を具備している筆記具１１に、夫々設けているが、スライド溝１４，１４を印判体１に、また、突起片５，５をスライド板を具備している筆記具１１に、夫々設けてもよい。
【００１３】
図６は、液浸透式印判２の代わりに公用印判２’を使用した場合の実施例を示したものである。印肉を別に用意することなく公用印判２’を使用するために、印判体１の印判体装入筒１５の下端に印肉１６を設けている。公用印判２’を使用するために、公用印判２’に印肉１６を付着させるときを除いて、その他のいかなる場合においても、印肉１６に付着しないため、印判体装入筒１５内に変形容易なストッパー１８を設けて、公用印判２’に印肉１６を付着させる際には、印判体１を押せばよい。また、スタンプを使用する場合（実施例は図示していない）は印肉１６の代わりに、インクパッドを使用する以外は、公用印判の構造及び作用は略同様である。
実施例では具体的に記載していないが、ボールペン等のように、芯を筆記具本体１７の筒内に収めるものにおいては、印判体１を筆記具の後端部に設けてもよいし、また、特に万年筆の構成のように、印判体１を筆記具の後端部に設けることに適さないものには、キャップのキャップ口の反対側に印判体１を設けてもよい。
【００１４】
【発明の効果】
本発明印判体付き筆記具は、請求項１において、筆記具の一部に相対向するスライド板を設けて、それによって、直線的に往復移動できるようにスライド溝を形成し、スライド溝面に対して往復移動及び転回ができるように円形状に成している突起片を設けてあるので、スライド溝によって、突起片が案内されることにより、印判体が移動して、印判を使用することができるので、印判体にキャップが不要であり、キャップを紛失する恐れがない。また、筆記具の後端に印判体装入部を形成することにより、印判体の頂部を装入することができるので、安定性のある押印が可能であるという効果を有する。さらに、印判体の頂部の係合面と係合する被係合面を印判体装入筒に設け、印判体装入筒の内径が印判体のカバー筒部の外径と略同径であることにより、より安定性よく押印することができる。
【００１５】
請求項２及び３において、スライド溝を筆記具に形成し、突起片を印判体に設けても、或いは、スライド溝を印判体に形成し、突起片を筆記具に設けても、請求項１における、効果を有する。
【００１６】
請求項４及び５において、ボールペン等のように、芯を筆記具本体の筒内に収めるものには、印判体を収めるスペースを筆記具の後端部に設けることにより、筆記具の後端部に印判体を設けることができる。また、万年筆等のように、筆記具の後端部には印判体を収めるスペースがないものでも、キャップが付属していれば、キャップ口の反対側に印判体を収めるスペースを設けることによって、印判体を設けることができる。従って、筆記具内でスライド板を設けることができるところならば、何処でも設けることができるという融通性が効くという効果を有する。
【００１７】
請求項６乃至８において、公用印判を使用する場合では、印判体装入筒内に印肉を設けることにより、印判を使用する際に、印肉を別に用意しなければならないという公用印判の欠点を解決することができるだけではなく、請求項１についてと同様に、印判にキャップも必要としない。また、スタンプの場合も、印肉の代わりにインクパッドを印判体装入筒内に設ければ、公用印判の場合と同様な欠点を解決することができる。さらに、印判体装入筒内に変形容易なストッパーを設けることにより、公用印判等に印肉を付着させようとしたときのみに、印判体装入筒内に収めている公用印判等を強く押すことによって、印肉等が付着し、押印することができる、即ち、公用印判等を押さない限り、公用印判等に印肉等は付着しないので、押印する際に、綺麗な印章をだすことができる。
【図面の簡単な説明】
【図１】  本発明印判体付き筆記具の印判が液浸透式印判である場合の印判体周辺の分解斜視図である。
【図２】  図１に示す印判体を使用しないときの印判体周辺の正面図である。
【図３】  図１に示す印判体を使用する際の印判体周辺の正面図である。
【図４】  図１に示す印判体を使用しないときの印判体周辺の側面図である。
【図５】  図１に示す印判体を使用しないときの印判体周辺の正面断面図である。
【図６】  印判が公用印判である場合の印判体周辺の正面断面図である。
【符号の説明】
１  印判体
２  液浸透式印判
２’  公用印判
３  カバー筒部
４  頂部
５，５  突起片
６  インクタンク
１１  筆記具
１２  装着部
１３，１３  スライド板
１４，１４  スライド溝
１５  印判体装入筒
１６  印肉
１７  筆記具本体
１８  変形容易なストッパー
【図１】
0003779007.tif 000002
【図２】
0003779007.tif 000003
【図３】
0003779007.tif 000004
【図４】
0003779007.tif 000005
【図５】
0003779007.tif 000006
【図６】
0003779007.tif 000007